(57)【要約】【課題】展開状態において隣接する羽根同士の密着性を好適に得られるようにしたカメラ用フォーカルプレンシャッタを提供すること。【解決手段】シャッタ地板１はビス２によりカメラ本体３に固着されている。補助地板５は、シャッタ地板１の２段軸１ｈ，１ｊの小径部に取り付けられ、コイルばね６によってシャッタ地板１側に付勢されている。シャッタ羽根は４枚の分割羽根１０〜１３を有していて、開口部１ａ，５ａを開放しているとき、それらの下方位置に重畳されている。そのため、補助地板５は、上方部が、軸１ｈの段面に接触しているが、下方部は、重畳された羽根１０〜１３に押され、軸１ｊに嵌装されているコイルばね６を圧縮させ、シャッタ地板１に対して傾いている。しかし、羽根１０〜１３が展開状態となって開口部１ａ，５ａを閉鎖しているときには、シャッタ地板１と平行になり、隣接する羽根同士の重なり部を密着させる。【選択図】　図２
2004012526.tif 000002
【特許請求の範囲】
【請求項１】
駆動手段を備えていてカメラ本体に取り付けられるシャッタ地板と、前記シャッタ地板との間に少なくとも一つの羽根室を構成し前記シャッタ地板との間隔を狭くする方向へ変位する習性を付与されて前記シャッタ地板に取り付けられている補助地板と、前記羽根室内に配置されており前記二つの地板の一方に枢着された複数のアームとそれらに枢支された複数枚の羽根とで構成されていて前記駆動手段によって露光開口を覆っている展開状態から露光開口を開放した重畳状態に作動する過程において少なくとも直接に前記補助地板をその習性に抗して変位させる少なくとも一つのシャッタ羽根と、を備えていることを特徴とするカメラ用フォーカルプレンシャッタ。
【請求項２】
前記シャッタ地板の周辺部には、複数の取付軸が立設されていて、前記補助地板の周辺部には、それらの取付軸に嵌合させる複数の取付孔が形成されており、前記補助地板は、前記取付軸に取り付けられたばね部材によって前記シャッタ地板との間隔を狭くする方向へ変位する習性が付与されていることを特徴とする請求項１に記載のカメラ用フォーカルプレンシャッタ。
【請求項３】
前記取付軸が、前記シャッタ地板面側に形成された大径部と、先端側に形成された小径部とを有していて、前記補助地板が前記小径部に対して変位可能に取り付けられていることを特徴とする請求項２に記載のカメラ用フォーカルプレンシャッタ。
【請求項４】
前記シャッタ地板と前記補助地板との間に中間板を配置して二つの羽根室が構成され、それらの羽根室に夫々のシャッタ羽根が配置されていると共に、前記中間板は、前記補助地板と同様にして前記シャッタ地板に取り付けられていることを特徴とする請求項１乃至３の何れかに記載のカメラ用フォーカルプレンシャッタ。
【請求項５】
前記シャッタ地板と前記補助地板との間に中間板を配置して二つの羽根室が構成され、それらの羽根室に夫々のシャッタ羽根が配置されていると共に、前記取付軸が、前記シャッタ地板面側から大径部，中径部，小径部を形成していて、前記中間板は周辺部に形成されている取付孔を前記中径部に嵌合させて変位可能に取り付けられ、前記補助地板は前記小径部に対して変位可能に取り付けられていることを特徴とする請求項２に記載のカメラ用フォーカルプレンシャッタ。
【発明の詳細な説明】
【０００１】
【発明の属する技術分野】
本発明は、一つのシャッタ羽根が、一端を地板に枢着された複数のアームと、それらに枢支された複数枚の羽根とで構成されているカメラ用フォーカルプレンシャッタに関する。
【０００２】
【従来の技術】
最近のフォーカルプレンシャッタには、先羽根と後羽根と称されている二つのシャッタ羽根を備えたものと、一つのシャッタ羽根だけを備えたものとがあり、前者は、銀塩カメラにもデジタルスチルカメラにも採用されているが、後者は、デジタルスチルカメラにのみ採用されている。また、いずれの場合であっても、シャッタ羽根は、各々の羽根室内に配置されており、前者の場合は、シャッタ地板と補助地板と称されている二つの地板間を中間板で仕切って二つの羽根室を構成し、後者の場合は、シャッタ地板と補助地板の間で一つの羽根室を構成している。
【０００３】
更に、前者のように構成されたものの中には、二重遮光方式と称されているものがある。このシャッタは、常態では、二つのシャッタ羽根によって露光開口を二重に覆っており、撮影時には、後羽根を露光作動開始位置へ移動させておいてから露光作動が行われるようにしたものである。そして、この二重遮光方式のフォーカルプレンシャッタは、通常、銀塩カメラに採用されているが、要求があればデジタルスチルカメラにも採用することができるものである。
【０００４】
また、各々のシャッタ羽根の基本構成はいずれも同じであり、一端を一方の地板（シャッタ地板の場合が普通）に枢着された二つ（三つのものも提案されている）のアームと、それらに枢支された１枚以上の羽根とで構成され、各羽根をカメラの上下方向へ作動させて露光開口を開閉するようにしている。しかしながら、一つのシャッタ羽根の羽根の枚数を１枚だけとするのは稀であって、通常は、カメラのデザイン上から、上下寸法の小さな羽根を複数枚備えているようにするのが普通であり、それによって、シャッタユニット全体の上下寸法が小さくなるようにしている。
【０００５】
更に、各アームと羽根との枢支構成は、アームと羽根とに形成されている孔に、リベット部品である連結軸の先端をアーム側から挿入し、羽根に対してかしめている。そして、そのかしめ部は、その部分の羽根形状を変形させ、羽根の摺動面からは突き出ないようにされているが、連結軸の頭部は、アームから突き出た構成となっており、シャッタ羽根を二つ備えているフォーカルプレンシャッタの場合には、各シャッタ羽根は、その連結軸の頭部を各々の羽根室を構成している地板側にして、即ち、複数枚の羽根を中間板側にし、二つのアームを各々の地板側にして、配置されている。
【０００６】
ところで、一つのシャッタ羽根が、複数枚の羽根（分割羽根ともいう）を備えているものは、露光開口を閉鎖しているときには、隣接する羽根同士の重なり量を最小にした展開状態となっており、露光開口から退いているときには、隣接する羽根同士の重なり量を最大にし全ての羽根を重ね合わせた重畳状態となっている。そのため、例えば、一つのシャッタ羽根が、羽根を４枚備えていて、シャッタ地板と中間板との間の羽根室内に配置されているように構成した場合は、シャッタ地板と中間板との間隔は、重畳状態となっているときの収容可能寸法、即ち、４枚の羽根の合計の厚さと、アームの厚さと、羽根と連結軸とのかしめ部における羽根の変形分と、連結軸の頭部のアームからの突き出し量との合計寸法が、最小限必要になる。
【０００７】
しかしながら、シャッタ羽根が展開状態になったときには、重畳状態のときのように、４枚の羽根は同一平面領域で全て重なった状態をしておらず、それぞれ異なる平面領域で、隣接する羽根同士の一部が重なっているだけであるから、光軸に沿った方向の羽根同士の重なり寸法としては、約２枚分の余裕寸法が生じたことになる（実際には羽根が傾くので、２枚分より小さい）。そのため、何らかの対策を講じておかないと、羽根同士の重なり部に隙間が生じて漏光が発生し、銀塩カメラの場合には、フィルムを感光させてしまうことになるし、デジタルスチルカメラの場合には、スミア等の原因となって画質に悪影響を与えてしまうことになる。
【０００８】
そこで、このような現象が生じないようにするための対策の一つとして、シャッタ羽根を二つ備えたフォーカルプレンシャッタにおいては、中間板を、シャッタの作動に応じて、シャッタ地板側にも補助地板側にも動き得るようにし、一方の羽根室の間隔が広くなったときには、他方の羽根室の間隔が狭くなるようにすることが知られている。それは、この種の通常のフォーカルプレンシャッタの場合には、先羽根の複数枚の羽根と後羽根の複数枚の羽根との両方が、同時に重畳状態となったり、同時に展開状態となったりすることがないからであって、重畳されていく方のシャッタ羽根が、展開されていく方のシャッタ羽根側へ、中間板を押していくからである。
【０００９】
【発明が解決しようとする課題】
しかしながら、このような従来構成は、シャッタ羽根を二つ備えているフォーカルプレンシャッタであっても、既に説明したような二重遮光方式のフォーカルプレンシャッタに採用した場合は、上記の場合と同じような作用効果を得ることができない。即ち、そのような構成をした二重遮光方式のフォーカルプレンシャッタの場合は、常態（カメラを使用していないとき）では、先羽根の複数枚の羽根と後羽根の複数枚の羽根とが両方とも展開状態となるため、上記のような余裕寸法がどうしても生じてしまうからである。もっとも、そのような余裕寸法が生じても、二重遮光をしている効果によって、漏光を充分に防止できていれば問題はないことになる。しかしながら、二重遮光方式を採用する理由の中には、各羽根を小型化・軽量化して、シャッタユニットの全体構成の小型化とシャッタスピードの高速化を図るために、展開状態における羽根同士の重なり量を小さくしたい場合ということもあるから、そのような理由で採用している場合には、やはり、上記のように余裕寸法が生じてしまうのは問題ということになる。
【００１０】
また、既に説明したように、フォーカルプレンシャッタの中には、シャッタ地板と補助地板との間に一つのシャッタ羽根しか配置しないタイプのものがあるが、そのようなタイプのフォーカルプレンシャッタには、上記のような従来構成を採用することができない。その理由は、言うまでもないことであるが、このタイプのフォーカルプレンシャッタには、中間板を備えていないし、シャッタ羽根も一つだけであるから、もう一つのシャッタ羽根との連携によって、中間板をシャッタ地板側や補助地板側に好適に移動させることなど、できる筈もないからである。
【００１１】
本発明は、このような問題点を解決するためになされたものであり、その目的とするところは、シャッタ地板と補助地板の間に一つの羽根室を構成し、そこに一つのシャッタ羽根を配置しているタイプのものや、シャッタ地板と補助地板の間を中間板で仕切って二つの羽根室を構成し、それらに一つずつのシャッタ羽根を配置したタイプのものにおいて、上記の二つの地板のうち撮像面側に配置されている地板を可動にすることによって、羽根室を構成している板部材の間隔を、シャッタ羽根の作動に対応して好適に変化させ得るようにしたカメラ用フォーカルプレンシャッタを提供することである。
【００１２】
【課題を解決するための手段】
上記の目的を達成するために、本発明のカメラ用フォーカルプレンシャッタは、駆動手段を備えていてカメラ本体に取り付けられるシャッタ地板と、前記シャッタ地板との間に少なくとも一つの羽根室を構成し前記シャッタ地板との間隔を狭くする方向へ変位する習性を付与されて前記シャッタ地板に取り付けられている補助地板と、前記羽根室内に配置されており前記二つの地板の一方に枢着された複数のアームとそれらに枢支された複数枚の羽根とで構成されていて前記駆動手段によって露光開口を覆っている展開状態から露光開口を開放した重畳状態に作動する過程において少なくとも直接に前記補助地板をその習性に抗して変位させる少なくとも一つのシャッタ羽根と、を備えているようにする。
【００１３】
その場合、前記シャッタ地板の周辺部には、複数の取付軸が立設されていて、前記補助地板の周辺部には、それらの取付軸に嵌合させる複数の取付孔が形成されており、前記補助地板は、前記取付軸に取り付けられたばね部材によって前記シャッタ地板との間隔を狭くする方向へ変位する習性が付与されているようにすると、実用化に適した構成となる。
【００１４】
また、このような本発明のカメラ用フォーカルプレンシャッタにおいては、前記取付軸が、前記シャッタ地板面側に形成された大径部と、先端側に形成された小径部とを有していて、前記補助地板が前記小径部に対して変位可能に取り付けられているようにしてもよい。更にその上に、前記シャッタ地板と前記補助地板との間に中間板を配置して二つの羽根室が構成され、それらの羽根室に夫々のシャッタ羽根が配置されていると共に、前記中間板は、前記補助地板と同様にして前記シャッタ地板に取り付けられているようにしてもよい。
【００１５】
更に、本発明のカメラ用フォーカルプレンシャッタにおいては、前記シャッタ地板と前記補助地板との間に中間板を配置して二つの羽根室が構成され、それらの羽根室に夫々のシャッタ羽根が配置されていると共に、前記取付軸が、前記シャッタ地板面側から大径部，中径部，小径部を形成していて、前記中間板は周辺部に形成されている取付孔を前記中径部に嵌合させて変位可能に取り付けられ、前記補助地板は前記小径部に対して変位可能に取り付けられているようにしてもよい。
【００１６】
【発明の実施の形態】
本発明の実施の形態を、四つの実施例によって説明する。尚、図１〜図４に示した第１実施例は、一つのシャッタ羽根を、シャッタ地板と補助地板の間に構成された一つの羽根室に配置しているフォーカルプレンシャッタである。また、図５〜図１０に示した第２実施例と、図１１〜図１３に示した第３実施例とは、二つのシャッタ羽根（先羽根，後羽根）を、シャッタ地板，中間板，補助地板の三つの板部材間に構成された二つの羽根室に夫々配置しているフォーカルプレンシャッタであって、この二つの実施例の差異は、各々のシャッタ羽根の配置されている羽根室が入れ替わっていることである。更に、図１４〜図１８に示した第４実施例は、第２実施例の構成を基本にして二重遮光方式のフォーカルプレンシャッタとして構成したものである。そのため、この第４実施例の説明には、図５，図７，図９も援用される。また、各実施例の図面においては、実質的に同じとみなせる部材，部位に、同じ符号を用いている。
【００１７】
［第１実施例］
最初に、図１〜図４を用いて第１実施例を説明する。上記したように本実施例は、一つのシャッタ羽根を、シャッタ地板と補助地板との間に構成された一つの羽根室に配置しているフォーカルプレンシャッタであるから、デジタルスチルカメラには採用することができるが、銀塩カメラには採用することができないものである。そこで、本実施例の構成を説明する前に、各図の説明を簡単にしておく。図１は、カメラに組み込んだ状態で被写体側から見た平面図であって、セット状態を示したものである。また、図２は、図１の略Ａ−Ａ線で切断して示した断面図である。また、図３は、図１と同様にして見た平面図であって、露光作動終了直後の状態を示したものである。更に、図４は、図３を図２と同様に切断して示した断面図である。尚、図２と図４の断面図は、カメラ本体への取付状態で示したものである。
【００１８】
先ず、シャッタ地板１は、図１に示すように、略中央部に、長方形を横長にした形状の開口部１ａを有している。また、シャッタ地板１の左右上方位置に形成されている二つの孔１ｂ，１ｃは、ビスによるカメラ本体への取付孔であり、図２においては、ビス２を孔１ｃに挿入し、カメラ本体３に対して螺合させた状態が示されている。また、図１において、シャッタ地板１の下方位置の中央左寄りに切欠部１ｄが形成されているが、この切欠部１ｄも、ビスによってカメラ本体３へ取り付けるためのものである。
【００１９】
図１に示されているように、開口部１ａの左方位置において、シャッタ地板１には、軸１ｅ，１ｆが立設されている。そのうち、軸１ｅは、シャッタ地板１を貫通して取り付けられており、被写体側だけではなく、その背面側（後述の羽根室側）にも軸部が立設されているが、軸１ｆの方は、背面側にのみ立設されている。また、シャッタ地板１の被写体側には、周知のように、図示していない複数の軸が立設されていて、軸１ｅと共に、それらの先端に、シャッタ地板１と略平行になるようにして、支持板とプリント配線板とを取り付けているが、図１においては、一番被写体側に取り付けられているプリント配線板４の外形が示されている。
【００２０】
また、シャッタ地板１と、上記の図示していない支持板との間において、軸１ｅには、駆動手段として図示していない駆動ばねによって一方向に付勢されている駆動部材が回転可能に取り付けられている。そして、この駆動部材は、周知のように、シャッタ地板１側に駆動ピンを有していて、その駆動ピンは、シャッタ地板１に形成された図示していない円弧状の長孔を貫通し、背面の羽根室内に配置された後述のシャッタ羽根に連結されている。更に、このほかにも、シャッタ地板１と、上記の図示していない支持板との間には、駆動部材を回転させるように付勢している駆動ばねの付勢力調整機構や、駆動ばねの付勢力に抗して駆動部材をセット位置まで回転させるセット部材や、駆動部材に対して露光作動を開始させるために必要な電磁石などが配置されているが、それらの構成はいずれも周知であって且つ本発明はそれらの構成に拘束されるものではないので、それらについての図示と具体的な説明を省略する。
【００２１】
図１に示したように、シャッタ地板１の四隅には、背面側に夫々軸１ｇ，１ｈ，１ｉ，１ｊが立設されているが、本実施例の場合には、シャッタ地板１が合成樹脂製であるため、それらの軸１ｇ，１ｈ，１ｉ，１ｊも、同時一体成形にて形成されている。そして、それらの軸１ｇ，１ｈ，１ｉ，１ｊの形状は同じであって、図２に示されている軸１ｈ，１ｊのように、先端部に向けて大径部と小径部の２段軸となっており、先端面には、ねじ孔が形成されている。
【００２２】
シャッタ地板１との間に羽根室を構成する補助地板５は、図１に破線で示したように、シャッタ地板１の外形に近い大きさの外形をしていて、その略中央部には、シャッタ地板１の開口部１ａと略同じ形状の開口部５ａを有している。そして、それらの開口部１ａ，５ａを重ねることによって露光開口を形成しているが、本実施例における撮像画枠は露光開口によって決定されるのではなく、補助地板５の背面側に配置されていて、カメラ本体３側に取り付けられている、図示を省略したＣＣＤ等の撮像装置などによって決定されるようになっている。
【００２３】
また、この補助地板５をシャッタ地板１に取り付ける場合には、先ず、その四隅に形成されている孔を上記した軸１ｇ，１ｈ，１ｉ，１ｊの小径部に対し変位可能に嵌合させる。その後は、図２に示されている軸１ｈ，１ｊに対する取付構成のように、小径部に圧縮コイルばね６，６を嵌装させ、小径部の先端面に形成されたねじ孔にビス７，７を螺合させる。その結果、補助地板５は、軸１ｇ，１ｈ，１ｉ，１ｊの４箇所において、各々のコイルばね６によって、それらの軸の大径部と小径部との間の段面に向けて変位する習性を常に付与されている。尚、コイルばね６に代えて板ばねを用いることも可能である。
【００２４】
図１及び図３に明示されているように、本実施例のシャッタ羽根は、二つのアーム８，９と、それらに順に枢支された４枚の羽根１０，１１，１２，１３で構成されている。また、このシャッタ羽根は、シャッタ地板１と補助地板５の間に構成された羽根室内に配置されており、アーム８，９は、各々の一端を軸１ｅ，１ｆに枢着されている。アーム８，９に対する各羽根１０〜１３の枢支構成は、既に説明したような周知の構成をしていて、各連結軸の頭部は、各羽根１０〜１３よりもシャッタ地板１側に配置されているアーム８，９から突き出ている。更に、一方のアーム８には長孔８ａが形成されていて、そこに、上記した図示していない駆動部材の駆動ピンが嵌合している。
【００２５】
次に、本実施例の作動を説明する。図１及び図２は、カメラの電源がオン状態となっていて、シャッタのセット状態を示したものである。そのため、４枚の羽根１０〜１３は、全て同一領域で重ね合わされた重畳状態となっていて、図２に示されているように、開口部１ａ，５ａの下方の軸１ｉ，１ｊに嵌装された夫々のコイルばね６の付勢力に抗し、補助地板５を右方向へ変位させている。従って、シャッタ地板１と補助地板５によって構成されている羽根室の間隔は、開口部１ａ，５ａの下方位置では広く、上方位置では狭くなっている。また、この場合、電源がオン状態であって、露光開口が開放されているので、液晶等のモニター装置（電子ファインダ）によって、被写体像の観察が可能となっている。
【００２６】
撮影をする場合には、この状態において被写体像を確認し、レリーズボタンを押す。それによって、撮像装置による撮像が開始され、その後、所定の時間が経過すると、露光制御回路からの信号によって、図示していない電磁石への通電が断たれて、駆動部材が、駆動ばねの付勢力によって反時計方向へ回転させられる。そのため、駆動部材の駆動ピンが、アーム８を反時計方向へ回転させるので、４枚の羽根１０〜１３は、隣接する羽根同士の重なり量を小さくしつつ上方へ移動していくと同時に、隣接する羽根同士の重なり位置がずれてゆき、各羽根１０〜１３は傾いていく。従って、開口部１ａ，５ａの下方部では、シャッタ地板１と補助地板５の間隔を、図２に示されているほど必要としなくなるので、補助地板５の下方部は、軸１ｉ，１ｊに嵌装されているコイルばね６の付勢力によって、シャッタ地板１側に変位させられていく。
【００２７】
そして、４枚の羽根１０〜１３のうち、一番先行する羽根１３が露光開口を閉鎖した段階で撮像面の露光は終了し、その直後には、駆動部材とシャッタ羽根の作動が、図示していないストッパによって停止させられる。その停止させられた状態が図３及び図４に示された状態である。このときには、図４に示されているように、補助地板５が、軸１ｈ，１ｊの大径部と小径部との間の段面に接触させられているため、シャッタ地板１と補助地板５との間隔は、どの領域でも同じであり最小間隔となっている。そのため、４枚の羽根１０〜１３は、展開状態となっても、殆ど光軸に沿った方向には移動する余裕がなく、重なり部の間から漏光してしまうようなことがない。
【００２８】
そのため、この状態において、画質低下のない撮像情報を得ることができる。そして、その撮像情報の記憶装置への転送が完了すると、直ちにシャッタ羽根のセットが行われるが、そのセット作動は、図示していないセット部材が、上記の駆動部材を、駆動ばねの付勢力に抗して、図３において時計方向へ回転させることによって行われる。駆動部材が時計方向へ回転させられると、その駆動ピンによってアーム８を時計方向へ回転させることになるから、４枚の羽根１０〜１３は、隣接する羽根同士の重なり量を大きくしつつ下方へ移動していくと同時に、隣接する羽根同士の重なり位置を近付けてゆき、各羽根１０〜１３は、それらの羽根面が光軸に対して垂直となるように姿勢を変えていく。
【００２９】
従って、開口部１ａ，５ａの下方部では、シャッタ地板１と補助地板５の間隔が、コイルばね６の付勢力に抗して広げられていく。そして、羽根１３が露光開口から完全に退いた直後に、セット部材による駆動部材の回転が停止され、図１及び図２に示されたセット状態となる。この状態において、次の撮影を行う意思がなく、電源をオフ状態にすると、セット部材は、図３のときと同じ状態に作動して停止する。そのため、図示していない電磁石への通電も断たれて駆動部材とシャッタ羽根も、図３のときと同じ状態に作動して停止することになるが、この状態では、図４に示されているように、羽根１０〜１３の間からは漏光することがないため、どのように長時間放置しておいても、撮像素子の光電変換性能が、光にさらされて劣化させられてしまうようなことがない。また、次の撮影をすべく電源をオンにすると、セット部材は、上記のようにして、駆動部材とシャッタ羽根とを作動させ、図１及び図２に示されたセット状態にする。
【００３０】
尚、本実施例においては、撮影終了時に、４枚の羽根１０〜１３が開口部１ａ，５ａの下方位置から上方へ移動するように構成されているが、反対に、開口部１ａ，５ａの上方位置から下方へ移動させるように構成しても差し支えない。また、本実施例においては、シャッタ羽根が、４枚の羽根１０〜１３よりも二つのアーム８，９がシャッタ地板１側になるように構成されているが、反対に、４枚の羽根１０〜１３よりも二つのアーム８，９が、補助地板５側になるように構成しても差し支えない。
【００３１】
［第２実施例］
次に、図５〜図１０を用いて第２実施例を説明する。本実施例は、上記したように、二つのシャッタ羽根（先羽根，後羽根）を、シャッタ地板，中間板，補助地板の三つの板部材間に構成された二つの羽根室に夫々配置しているフォーカルプレンシャッタである。そのため、本実施例は、銀塩カメラにもデジタルスチルカメラにも採用することができるが、作動の説明に際しては、銀塩カメラに採用された場合で説明することにする。また、本実施例には、第１実施例で説明した構成が、かなりの部分でそのまま採用されている。従って、実質的に同じ部材，部位には同じ符号を用い、異なる点についてだけ説明する。
【００３２】
ここで、本実施例の構成説明に入る前に、各図の説明をしておく。図５は、図１と同様にして見た平面図であって、セット状態を示したものであり、図６は、図５を第１実施例の図２と同様に切断して示した断面図である。また、図７は、図５と同様にして見た平面図であって、露光作動の途中の状態を示したものであり、図８は、図７を図６と同様に切断して示した断面図である。更に、図９は、図５と同様にして見た平面図であって、露光作動の終了直後の状態を示したものであり、図１０は、図９を図６と同様に切断して示した断面図である。尚、図６，図８，図１０の断面図は、カメラ本体への取付状態で示してある。
【００３３】
また、第１実施例において説明したシャッタ羽根に関連したことについても、予め述べておく。本実施例は、第１実施例におけるシャッタ羽根の構成をそのまま備えている。しかしながら、本実施例の場合は、先羽根と後羽根という二つのシャッタ羽根を備えているので、第１実施例におけるシャッタ羽根は、本実施例においては先羽根ということになる。そのため、第１実施例の説明に出てくる図示していない駆動部材，駆動ばね，電磁石は、本実施例の場合には、先羽根用駆動部材，先羽根用駆動ばね，先羽根用電磁石ということになる。
【００３４】
そこで、本実施例の固有の構成を説明する。先ず、本実施例のシャッタ地板１には、開口部１ａの左方位置に、軸１ｋ，１ｍが立設されている。そのうち、軸１ｋは、シャッタ地板１を貫通して取り付けられており、被写体側だけではなく、その背面側にも軸部が立設されているが、軸１ｍの方は、背面側にのみ立設されている。そして、シャッタ地板１と、前記の図示していない支持板との間において、軸１ｋには、図示していない後羽根用駆動部材が回転可能に取り付けられている。そして、この駆動部材も、周知のように、シャッタ地板１側に駆動ピンを有していて、その駆動ピンは、シャッタ地板１に形成された図示していない円弧状の長孔を貫通し、背面の羽根室内に配置された後述の後羽根に連結されている。
【００３５】
更に、このほかにも、シャッタ地板１と、上記の図示していない支持板との間には、後羽根用駆動部材を回転させるように付勢している後羽根用駆動ばねの付勢力調整機構や、その後羽根用駆動部材に対して露光作動を開始させために必要な後羽根用電磁石などが配置されているが、それらの構成は、いずれも周知であって且つ本発明とは直接関係がないので、それらについての図示と具体的な説明を省略する。尚、説明するまでもないことであるが、第１実施例で説明した図示していないセット部材は、セット作動時において、先羽根用駆動部材と後羽根用駆動部材の両方を、夫々の駆動ばねの付勢力に抗してセット位置まで回転させるようになっている。
【００３６】
図５に示されているように、シャッタ地板１の四隅には、本実施例の場合にも、背面側に軸１ｇ，１ｈ，１ｉ，１ｊが立設されている。そして、それらの軸１ｇ，１ｈ，１ｉ，１ｊは同じ形状をしているが、第１実施例の場合よりも小径部の長さが長く形成されている。また、それらの小径部には、中間板１４と補助地板５が順に取り付けられているが、中間板１４は、軸１ｉには取り付けられていない。そして、この中間板１４は、シャッタ地板１との間に先羽根の羽根室を構成し、補助地板５との間に後羽根の羽根室を構成するためのものである。
【００３７】
中間板１４の外形は、図５に一点鎖線で示したように、シャッタ地板１や補助地板５に近い大きさをしていて、その略中央部には、シャッタ地板１の開口部１ａと略同じ形状の開口部１４ａを有しているが、周知のように、開口部１４ａの上辺と下辺がヘ字形をしているのが特徴である。そして、この中間板１４は、補助地板５の場合と同様に、シャッタ地板１の四隅に形成されている軸１ｇ，１ｈ，１ｉ，１ｊに取り付けても一向に差し支えないものであるが、本実施例の場合には、上記したように三つの軸１ｇ，１ｈ，１ｊに取り付けられていて、それらの小径部に対して軸方向へ移動可能となっている。
【００３８】
他方、補助地板５は、軸１ｇ，１ｈ，１ｉ，１ｊに対する嵌合部の形状が、第１実施例の場合と異なっている。即ち、図６から分かるように、補助地板５には、単に孔が形成されているだけではなく、中間板１４側に筒部５ｂが形成されている。そして、その筒部５ｂは、軸１ｇ，１ｈに嵌合させる筒部の方が、軸１ｉ，１ｊに嵌合させる筒部よりも長く形成されている。ところで、この筒部５ｂは、その長さによって中間板１４との間隔を規制するためのものであるから、別部材としてその筒部５ｂに相当する部材を製作しても構わないし、その筒部５ｂに相当する筒部を中間板１４の補助地板５側に形成するようにしてあっても構わない。
【００３９】
最後に、後羽根の構成を説明する。図５，図７，図９に示されているように、本実施例の後羽根は、先羽根と同じ構成をしているが、中間板１４と補助地板５の間に構成された羽根室内において、先羽根を裏返したようにして配置されている。即ち、後羽根は、二つのアーム１５，１６と、それらに順に枢支された４枚の羽根１７，１８，１９，２０とで構成されており、アーム１５，１６は、各々の一端を軸１ｋ，１ｍに枢着されている。また、アーム１５，１６は各羽根１７〜２０よりも補助地板５側に配置されていて、アーム１５，１６に羽根１７〜２０を枢支するために用いられている各連結軸は、その頭部が、アーム１５，１６から補助地板５側に突き出ている。更に、アーム１５には長孔１５ａが形成されていて、そこに、上記した図示していない後羽根用駆動部材の駆動ピンが嵌合している。
【００４０】
次に、本実施例の作動を説明する。図５及び図６は、シャッタのセット状態を示したものである。そのため、先羽根の４枚の羽根１０〜１３は、展開状態となって開口部１ａを覆っている。他方、後羽根の４枚の羽根１７〜２０は重畳状態となって、開口部１ａの上方位置に格納されている。このとき、補助地板５は、図６に示されているように、圧縮コイルばね６によって左方向へ付勢され、筒部５ｂによって中間板１４を、軸１ｈ，１ｊの大径部と小径部との間の段面に接触させ、シャッタ地板１と中間板１４との間隔を、最小間隔としている。そのため、４枚の羽根１０〜１３は、展開状態となっていても、殆ど光軸に沿った方向には移動する余裕がないため、このままの状態でカメラを長期間放置しておいたとしても、それらの重なり部の間から漏光し、補助地板５の背面側に配置されていて、図示を省略したフィルムを感光させてしまうようなことがない。
【００４１】
撮影をする場合には、光学ファインダで被写体像を確認し、レリーズボタンを押す。それによって、図示していない先羽根用電磁石と後羽根用電磁石に通電され、軸１ｅ，１ｋに取り付けられている図示していない先羽根用駆動部材と後羽根用駆動部材が磁気的に吸着保持されるので、それまで両方の駆動部材をセット位置に保持していた図示していないセット部材が、それらの作動の障害とならない初期位置へ作動する。その後、先羽根用電磁石に対する通電が断たれ、所定時間後に後羽根用電磁石の通電が断たれる。
【００４２】
そこで、先ず、先羽根用電磁石の通電が断たれると、軸１ｅに取り付けられている先羽根用駆動部材が先羽根用駆動ばねの付勢力によって時計方向へ回転する。それによって、先羽根用駆動部材の駆動ピンが、アーム８を時計方向へ回転させるので、４枚の羽根１０〜１３は、隣接する羽根同士の重なり量を大きくしつつ下方へ移動していくと同時に、隣接する羽根同士の重なり位置を近付けてゆき、それらの羽根面が光軸に対して垂直となるように姿勢を変えていく。そのため、開口部１ａ，１４ａの下方部では、シャッタ地板１と中間板１４の間隔が広げられていくが、中間板１４と補助地板５の間隔は筒部５ｂによって規制されているので変化せず、コイルばね６を圧縮させながら補助地板５を右方向へ変位させていく。そして、スリット形成用の羽根１３が露光開口から完全に退いた直後に、先羽根用駆動部材が、図示していないストッパに当接して停止され、先羽根の作動が停止する。図７及び図８はそのときの状態を示している。
【００４３】
その後、図示していない後羽根用電磁石の通電が断たれると、軸１ｋに取り付けられている後羽根用駆動部材が後羽根用駆動ばねの付勢力によって時計方向へ回転する。それによって、後羽根用駆動部材の駆動ピンが、アーム１５を時計方向へ回転させるので、４枚の羽根１７〜２０は、隣接する羽根同士の重なり量を小さくしつつ下方へ移動していくと同時に、隣接する羽根同士の重なり位置がずれてゆき、各羽根１７〜２０は傾いていく。しかしながら、本実施例の場合には、このとき、中間板１４と補助地板５の間隔は全く変わらない。そして、スリット形成用の羽根２０が露光開口を閉鎖した段階で、後羽根用駆動部材が、図示していないストッパに当接して停止し、後羽根の作動も停止させられる。図９及び図１０は、そのときの状態を示している。
【００４４】
ところで、上記の露光作動の説明においては、後羽根の露光作動は、先羽根が露光作動を停止してから開始する場合で説明したが、被写体が暗い場合はともかくとして、通常の場合においては、後羽根の露光作動は、先羽根の露光作動の開始直後に、先羽根を追いかけるようにして開始する。従って、その場合には、羽根１３と羽根２０の間に形成されるスリットにより、フイルム面を連続的に露光していくことになる。
【００４５】
また、上記のように、本実施例においては、後羽根が露光作動を行うとき、中間板１４と補助地板５の間隔は全く変わらない。しかしながら、筒部５ｂは、軸１ｇ，１ｈ側よりも軸１ｉ，１ｊ側の方が短くなるように形成されているので、後羽根の羽根室は、常に、後羽根が重畳状態となる上方部から下方部向けて狭くなるように構成されている。そのため、羽根相互の重なり部からの漏光が問題となるほど離れてしまうことはない。しかし、そうはいっても、図６における先羽根の状態と図１０における後羽根の状態を比較すれば分かるように、後者の場合の重なり状態は劣っている。それにもかかわらず、何故このような状態を是認しているかというと、本実施例の場合には、このあと直ちにセット作動が行われるようになっているからである。しかし、超高感度フイルムを使用することなどを考えて、このような構成をどうしても避けたいという要求がある場合には、筒部５ｂの長さを適宜短くすれば、後羽根の作動に対応して中間板１４と補助地板５の間隔を変化し得るようにすることが可能になる。
【００４６】
そこで、次に、本実施例のセット作動を説明する。露光作動が終了して、図９及び図１０の状態になると、カメラ本体側の部材によって、図示していないセット部材が初期位置から作動させられ、先ず、軸１ｅに取り付けられている先羽根用駆動部材を、先羽根用駆動ばねの付勢力に抗して反時計方向へ回転させる。そのため、先羽根用駆動部材の駆動ピンがアーム８を反時計方向へ回転させるので、先羽根の４枚の羽根１０〜１３は、隣接する羽根同士の重なり量を小さくしつつ上方へ移動していく。
【００４７】
そして、先羽根のスリット形成用の羽根１３と後羽根のスリット形成用の羽根２０との重なり量が所定量になると、上記のセット部材は、軸１ｋに取り付けられている後羽根用駆動部材も、後羽根用駆動ばねの付勢力に抗して反時計方向へ回転させ始める。そのため、後羽根用駆動部材の駆動ピンがアーム１５を反時計方向へ回転させるので、後羽根の４枚の羽根１７〜２０は、隣接する羽根同士の重なり量を大きくしつつ上方へ移動していく。それによって、先羽根と後羽根は、露光作動のときとは反対の作動をしていくため、中間板１４と補助地板５は、それらの下方部がコイルばね６の付勢力によって地板１側へ移動し、先羽根の羽根室を狭くしていく。そして、先羽根が展開状態となり、後羽根が重畳状態となったとき、セット作動が終了し、図５及び図６の状態に復帰する。従って、この状態でカメラを長期間放置しておいても、漏光の心配はない。
【００４８】
尚、本実施例においては、撮影時に、先羽根の４枚の羽根１０〜１３も、後羽根の４枚の羽根１７〜２０も、開口部１ａを上方から下方へ移動するように構成されているが、反対に、下方から上方へ移動させるように構成しても差し支えない。
【００４９】
［第３実施例］
次に、図１１〜図１３を用いて第３実施例を説明する。本実施例は、第２実施例と同様に、二つのシャッタ羽根（先羽根，後羽根）を二つの羽根室に別々に配置しているフォーカルプレンシャッタであって、銀塩カメラにもデジタルスチルカメラにも採用することができるものである。尚、図１１〜図１３は、いずれも本実施例を、図２と同様に切断して示した断面図であって、夫々、図１１はセット状態を、図１２は露光作動の途中の状態を、図１３は露光作動の終了直後の状態を示したものである。また、第２実施例の説明に用いた図５，図７，図９も、先羽根と後羽根の構成・配置を除いては、全体構成が殆ど同じであるため、適宜本実施例の説明に準用する。更に、図１１〜図１３においては、第２実施例の構成と、実質的に同じ部材，部位に同じ符号を用い、以下においては、第２実施例と異なる点についてだけ、具体的に説明する。
【００５０】
本実施例と第２実施例との構成上の大きな相違点は、本実施例の場合には、先羽根が、中間板１４と補助地板５との間に構成されている羽根室に配置され、後羽根が、シャッタ地板１と中間板１４との間に構成されている羽根室に配置されていることである。そのため、図１１〜図１３には示されていないが、先羽根も後羽根も、夫々のアームと羽根との重なり関係が逆になっている。即ち、先羽根の場合には、４枚の羽根１０〜１３が中間板１４側に、アーム８，９が補助地板５側に配置されていることになる。そのため、４枚の羽根１０〜１３を枢支するために用いている連結軸の頭部は、補助地板５側に突き出ている。また、後羽根の場合は、４枚の羽根１７〜２０が中間板１４側に、アーム１５，１６がシャッタ地板１側に配置され、連結軸の頭部は、シャッタ地板１側に突き出ている。
【００５１】
また、本実施例の場合には、シャッタ地板１の背面側に立設された軸１ｇ，１ｈ，１ｉ，１ｊ（図５を準用）の形状が、第２実施例の場合と異なっている。即ち、本実施例の場合には、図１１に示されている軸１ｈ，１ｊからも分かるように、それらの軸１ｇ，１ｈ，１ｉ，１ｊは、シャッタ地板１側から、大径部，中径部，小径部を有する３段軸となっていて、シャッタ地板１の上方位置に立設されている軸１ｇ，１ｈは、下方位置に立設されている軸１ｉ，１ｊよりも、大径部の長さが長くなっていて、その分だけ小径部の長さが短くなっている。
【００５２】
更に、本実施例における中間板１４の形状は、第２実施例の場合と実質的に同じであるが、三隅に形成した孔を上記の軸１ｇ，１ｈ，１ｊの中径部に嵌合させ、それらの軸方向へは移動可能となっている。また、本実施例の補助地板５は、第１実施例の場合と全く同じ形状をしており、四隅に形成した孔を軸１ｇ，１ｈ，１ｉ，１ｊの小径部に嵌合させ、それらの長さ方向へ移動可能となっている。そして、このほかの図示されている構成は、第２実施例の場合と全く同じである。
【００５３】
次に、本実施例の作動を説明する。図１１は、シャッタのセット状態を示したものである。そのため、先羽根の４枚の羽根１０〜１３は、展開状態となっていて、後羽根の４枚の羽根１７〜２０は重畳状態となっている。このとき、補助地板５は、圧縮コイルばね６によって左方向へ付勢され、軸１ｈ，１ｊの中径部と小径部との間の段面に接触させられているが、展開状態となっている先羽根の４枚の羽根１０〜１３を介して中間板１４を左方向へ押し、中間板１４を、軸１ｈ，１ｊの大径部と中径部との間の段面に接触させている。そのため、先羽根の４枚の羽根１０〜１３は、光軸に沿った方向に移動する余地が殆どなく、このままの状態でカメラを長期間放置しておいても、漏光によってフィルムを感光させてしまうことがない。
【００５４】
この状態において、カメラのレリーズボタンを押と、第２実施例の場合と同様にして、先羽根用駆動部材と後羽根用駆動部材が、夫々の駆動ばねの付勢力によって順に回転させられる。先ず、図示していない先羽根用駆動部材が時計方向へ回転すると、アーム８が時計方向へ回転させられ（図５準用）、４枚の羽根１０〜１３は、図１１において、隣接する羽根同士の重なり量を大きくしつつ下方へ移動していくと同時に、隣接する羽根同士の重なり位置を近付けてゆき、それらの羽根面が光軸に対して垂直となるように姿勢を変えていく。
【００５５】
そのため、開口部１４ａ，５ａの下方部では、中間板１４と補助地板５の間隔を広げる力が働くことになるが、中間板１４は左方向へ移動することができないので、補助地板５がコイルばね６を圧縮させながら右方向へ移動していく。そして、スリット形成用の羽根１３が露光開口から完全に退いた直後に、先羽根用駆動部材が図示していないストッパに当接して停止され、先羽根の作動が停止する。図１２はそのときの状態を示しており、被写体側から見た状態は、図７に準じた状態になる。
【００５６】
次に、図示していない後羽根用駆動部材が時計方向へ回転すると、アーム１５が時計方向へ回転させられ（図７準用）、４枚の羽根１７〜２０は、図１１において、隣接する羽根同士の重なり量を小さくしつつ下方へ移動していくと同時に、隣接する羽根同士の重なり位置がずれてゆき、各羽根１７〜２０は傾いていく。しかしながら、このとき、シャッタ地板１と中間板１４との間隔は、変わり得る構成にはなってはいるものの、全く変わることがない。そして、スリット形成用の羽根２０が露光開口を閉鎖した段階で、後羽根用駆動部材が、図示していないストッパに当接して停止し、後羽根の作動も停止させられる。図１３は、そのときの状態を示している。また、そのときの被写体側から見た状態は、図９に準じた状態になっているが、上記したように、先羽根と後羽根の重なり関係は、夫々逆の配置関係になる。
【００５７】
また、このとき、シャッタ地板１と中間板１４との間隔が全く変わらないため、後羽根の４枚の羽根１７〜２０の重なり関係は、漏光が問題とならない範囲内で図１１に示した先羽根の４枚の羽根１０〜１３の重なり関係よりも劣っている。本実施例が、あまんじて、このような構成にしている理由は、第２実施例の説明で述べた理由と同じであるが、もし、シャッタ地板１と中間板１４との間隔を変わり得るようにして、図１３に示された状態よりも後羽根の４枚の羽根１７〜２０の重なり関係を良好にしたい場合には、軸１ｇ，１ｈ，１ｉ，１ｊにおける大径部の長さを、実施例の場合よりも短くすれば可能になる。
【００５８】
次に、本実施例のセット作動を簡単に説明する。露光作動が終了して、図１３の状態になると、直ちに、カメラ本体側の部材によって、図示していないセット部材が初期位置から作動させられ、先羽根用駆動部材と後羽根用駆動部材とを、タイミングを若干ずらせて、セット位置まで作動させる。それによって、先羽根の４枚の羽根１０〜１３は、隣接する羽根同士の重なり量を小さくしつつ上方へ移動してゆき、後羽根の４枚の羽根１７〜２０は、隣接する羽根同士の重なり量を大きくしつつ上方へ移動していく。そのため、中間板１４と補助地板５は、それらの下方部がコイルばね６の付勢力によって接近させられていく。そして、先羽根が展開状態となり、後羽根が重畳状態となったとき、セット作動が終了し、図１１の状態に復帰する。従って、この状態でカメラを長期間放置しておいても、漏光の心配はない。
【００５９】
［第４実施例］
次に、図１４〜図１８を用いて第４実施例を説明する。本実施例は、既に述べたように、これまでは、銀塩カメラにのみ採用されてきた二重遮光方式のフォ−カルプレンシャッタとして構成されたものである。しかしながら、本実施例として図示した殆どの部材，部位は、第２実施例を構成している部材，部位と同じである。そのため、第２実施例の場合と実質的に同じ部材，部位には同じ符号を用いてある。また、本実施例は、先羽根と後羽根の構成・配置も含めて被写体側から見た全体構成が、第２実施例の場合と実質的に同じである。そのため、第２実施例の説明で用いた図５，図７，図９も、本実施例の説明に援用する。
【００６０】
尚、図１４は、図５，図７，図９と同様にして見た平面図であって、セット状態を示したものである。そのため、本実施例の場合には、図５は、レリーズ直後であって露光作動開始直前の状態を示したものとなる。また、図１５〜図１８は、いずれも本実施例を、図２と同様に切断して示したものであって、図１５はセット状態を示した断面図であり、図１６はレリーズ直後であって露光作動開始直前の状態を示した断面図であり、図１７は露光作動の途中の状態を示した断面図であり、図１８は露光作動の終了直後の状態を示した断面図である。
【００６１】
そこで、先ず、第２実施例とは異なる構成を説明する。シャッタ地板１の背面側に立設されている軸１ｇ，１ｈ，１ｉ，１ｊは、同じ形状をしていて、図１５に示されている軸１ｈ，１ｊのように、シャッタ地板１側から、大径部，中径部，小径部を有する３段軸となっている。また、中間板１４は、その三隅に形成した孔を、軸１ｇ，１ｈ，１ｊの中径部に嵌合させ、長さ方向へ移動可能となっている。また、補助地板５は、その四隅に形成された孔を、軸１ｇ，１ｈ，１ｉ，１ｊの小径部に嵌合させ、長さ方向へ移動可能となっている。更に、軸１ｇ，１ｈ，１ｊには、中間板１４と補助地板５の間に、夫々、圧縮コイルばね６よりも付勢力の弱い圧縮コイルばね２１が、中間板１４と補助地板５の間隔を常に広げるようにして嵌装されている。図示されているこのほかの構成は、第２実施例の場合と全く同じである。
【００６２】
また、二重遮光方式のフォーカルプレンシャッタは、例えば特開２００１−１００２７３号公報などによって周知であるため、具体的な固有の構成を図示していない。しかし、第２実施例で説明した図示していない構成との差異を簡単に説明すると、以下のようになる。軸１ｋには、上記した後羽根用駆動部材のほかに、後羽根用作動部材などと称されている部材が、回転可能に取り付けられていて、後羽根のアーム１５の孔１５ａに嵌合している駆動ピンは、その後羽根用作動部材に設けられている。更に、後羽根用駆動部材と後羽根用作動部材との間には、セットばねと称されているばねが掛けられており、カメラがレリーズされると、その付勢力によって後羽根を露光作動開始位置へ作動させるようになっているが、その付勢力は、後羽根用駆動部材を付勢している上記の後羽根用駆動ばねよりもはるかに弱いため、露光作動時には、後羽根用作動部材は、セットばねの付勢力に抗して、後羽根用駆動部材によって回転させられ、その駆動ピンによって後羽根を作動させるようになっている。
【００６３】
そこで、次に、本実施例の作動を説明する。図１４及び図１５は、シャッタのセット状態を示したものである。そのため、第２実施例の場合と同様に、先羽根の４枚の羽根１０〜１３は、展開状態となって露光開口を覆っているが、本実施例の場合には、後羽根の４枚の羽根１７〜２０も展開状態となって露光開口を覆っている。従って、このとき、先羽根のアーム８の孔８ａに駆動ピンを連結させた図示していない先羽根用駆動部材は、先羽根用駆動ばねの付勢力に抗して、セット部材によって、セット位置を保たされている。また、図示していない後羽根用駆動部材も、後羽根用駆動ばねの付勢力に抗して、セット部材によって、セット位置を保たされているが、後羽根のアーム１５の孔１５ａに駆動ピンを連結させた図示していない後羽根用作動部材は、セット作動時に、後羽根用駆動部材に追従して作動するのを抑止された状態となっている。そのため、後羽根は、露光作動終了時と同様に展開状態のままになっているし、後羽根用作動部材と後羽根用駆動部材の間に掛けられた上記のセットばねは、セット作動時に緊張された状態となっている。
【００６４】
他方、図１５に示されているように、このとき、補助地板５は、コイルばね６によって左方向へ付勢され、軸１ｈ，１ｊの中径部と小径部との間の段面に接触させられている。また、それによって、補助地板５は、コイルばね２１を介して中間板１４を左方向へ押しているので、中間板１４は、軸１ｈ，１ｊの大径部と中径部との間の段面に接触させられている。そのため、先羽根の４枚の羽根１０〜１３と後羽根の４枚の羽根１７〜２０は、共に光軸に沿った方向に移動する余裕が殆どなく、このままの状態でカメラを長期間放置しておいても、漏光によってフィルムを感光させてしまうことがない。
【００６５】
この状態において、カメラのレリーズボタンを押すと、第２実施例の場合と同様にして、先羽根用駆動部材と後羽根用駆動部材が、先羽根用電磁石と後羽根用電磁石によって吸着保持され、その後、セット部材が初期位置へ作動させられ、後羽根用作動部材の抑止が解除される。そのため、後羽根用作動部材は、後羽根用駆動部材との間に掛けられたセットばねの付勢力によって、軸１ｋにおいて反時計方向へ回転させられ、その駆動ピンによってアーム１５を反時計方向へ回転させる。それによって、後羽根の４枚の羽根１７〜２０は、隣接する羽根同士の重なり量を大きくしつつ上方へ移動していくため、補助地板５の上方部は、軸１ｇ，１ｈに嵌装されたコイルばね６を圧縮させながら、中間板１４から遠ざかっていく。そして、後羽根用作動部材は、後羽根が露光作動開始位置に達すると、後羽根用駆動部材に当接して停止する。本実施例においては、図５及び図１６が、そのときの状態を示している。
【００６６】
その後、先羽根用電磁石と後羽根用電磁石に対する通電が所定のタイミングで順に断たれると、先羽根用駆動部材と後羽根用駆動部材が、夫々の駆動ばねの付勢力によって順に回転させられ、露光作動が行われる。先ず、図示していない先羽根用駆動部材が、軸１ｅにおいて時計方向へ回転すると、その駆動ピンによってアーム８が時計方向へ回転させられ、４枚の羽根１０〜１３は、図１６において、隣接する羽根同士の重なり量を大きくしつつ下方へ移動していく。そのため、開口部１ａ，１４ａの下方部では、シャッタ地板１と中間板１４の間隔を広げる力が働き、中間板１４は右方向へ移動させられる。それによって、補助地板５も、軸１ｊに嵌装されたコイルばね２１を介して右方向へ押され、軸１ｉ，１ｊに嵌装されているコイルばね６を圧縮させていく。そして、スリット形成用の羽根１３が露光開口から完全に退いた直後に、先羽根用駆動部材が図示していないストッパに当接して停止され、先羽根の露光作動が停止する。図７及び図１７は、そのときの状態を示している。
【００６７】
次に、図示していない後羽根用駆動部材が、軸１ｋにおいて時計方向へ回転すると、同じ軸１ｋに取り付けられている後羽根用作動部材が、後羽根用駆動部材に押されて時計方向へ回転させられる。そのとき、後羽根用作動部材の駆動ピンによって、アーム１５も時計方向へ回転させられるので、後羽根の４枚の羽根１７〜２０は、図１７において、隣接する羽根同士の重なり量を小さくしつつ下方へ移動していくと同時に、隣接する羽根同士の重なり位置がずれてゆき、各羽根１７〜２０は傾いていく。
【００６８】
それによって、このとき、補助地板５は、軸１ｇ，１ｈに嵌装されているコイルばね６の付勢力によって左方向へ押され、開口部５ａの上方部を中間板１４に近づけていく。そして、スリット形成用の羽根２０が露光開口を閉鎖した段階になると、後羽根用作動部材が図示していないストッパに当接することによって、後羽根用駆動部材と後羽根用作動部材の回転が停止し、後羽根の作動も停止させられる。図９及び図１８は、そのようにして行われた露光作動の終了直後の状態を示している。そして、この露光作動終了直後の状態においては、図１８に示されているように、補助地板５の上方部が、軸１ｇ，１ｈの中径部と小径部との間の段面に接触させられていて、中間板１４と補助地板５との間隔が非常に狭くなっているので、後羽根の４枚の羽根１７〜２０は、隣接する羽根同士の重なり関係が極めて良好に保たれている。
【００６９】
尚、本実施例の場合にも、上記の露光作動の説明においては、先羽根が露光作動を停止してから後羽根の露光作動が開始する場合で説明したが、通常の昼光撮影の場合には、先羽根の露光作動中に、後羽根が露光作動を開始するのが普通である。そして、その場合には、羽根１３と羽根２０の間に形成されたスリットにより、フイルム面を連続的に露光していくことになるが、本実施例の構成において、そのような露光作動を行う場合には、中間板１４と補助地板５は、相対的に複雑な動きをすることになる。従って、そのような動きをする構成を避けたいときには、本実施例のような二重遮光方式を採用する場合であっても、第２及び第３実施例で示したような、一方の羽根室内の空間だけを変化させるようにした構成を採用することが可能である。
【００７０】
次に、本実施例のセット作動を簡単に説明する。上記のようにして露光作動が終了し、図９及び図１８に示された状態になると、直ちに、カメラ本体側の部材によって、図示していないセット部材が初期位置から作動させられ、先羽根用駆動部材と後羽根用駆動部材とを、タイミングを若干ずらせて、夫々の軸１ｅ，１ｋにおいて、反時計方向へ回転させる。ところが、後羽根用作動部材は、後羽根用駆動部材に追従して回転するのを抑止されるため、後羽根用駆動部材との間に掛けられたセットばねが緊張されていく。
【００７１】
そのため、後羽根用作動部材の駆動ピンに連結されている後羽根は、図９及び図１８に示された状態のままであって、４枚の羽根１７〜２０は展開状態を保っているが、先羽根は先羽根用駆動部材の駆動ピンに連結されているので、４枚の羽根１０〜１３は、隣接する羽根同士の重なり量を小さくしつつ上方へ移動してゆく。そのため、図１８において、中間板１４の下方部と補助地板５の下方部が、コイルばね６の付勢力によって左方向へ移動させられていく。そして、先羽根が展開状態となったとき、セット作動が終了し、図１４及び図１５の状態に復帰する。そのため、この状態でカメラを長期間放置しておいても、漏光の心配は全くないし、二重遮光状態になっているので、第１〜第３実施例の場合よりも、隣接する羽根同士の重なり量が少なくてよいことになる。従って、羽根の枚数は同じであっても、１枚ごとの羽根の上下方向の寸法を小さくすることができるから、シャッタユニット全体の上下方向の寸法を小さくすることができるし、羽根の軽量化によってシャッタスピードの高速化にも対応し易くなる。
【００７２】
尚、上記の各実施例の説明においては、実施例間での相違はあったとしても、いずれの実施例も、軸１ｇと軸１ｈとの形状が同じであって、軸１ｉと軸１ｊとの形状が同じ場合で説明した。しかしながら、軸１ｇと軸１ｈとを異なる形状にし、また、軸１ｉと軸１ｊとを異なる形状にすることによって、例えば図５において、シャッタユニットの左側の領域では各羽根室の間隔（シャッタ地板１と中間板１４との間隔、及び中間板１４と補助地板５との間隔）を広くし、右側の領域ではそれらの間隔を狭くするように構成すると、一層好ましい羽根相互の重なり状態が得られるようになる。
【００７３】
何故ならば、羽根室の間隔は、シャッタユニットの左側の領域では、４枚分の羽根の厚さと、アームの厚さと、それらの枢支に必要な連結軸の頭部の突き出し量との和の寸法が、最小限必要であるが、右側の領域では、４枚分の羽根の厚さ寸法だけあればよいため、右側の領域での間隔が、左側の領域での間隔と同じ場合には、展開状態における羽根相互の密着性が、その右側領域で劣ってしまうことになる。従って、右側領域においても左側領域と同じような密着性を得たい場合には、何らかの方策を講じることになるが、上記のように構成すれば、その必要性がなくなるからである。
【００７４】
また、上記の各実施例の説明においては、補助地板５の取付軸を四つ設けているが、例えば、軸１ｉを除く三つとしても差し支えない。更に、上記の各実施例においては、補助地板５を、四つの軸に対して、それらの軸方向へ移動可能に取り付けている。しかし、補助地板５が薄い可撓性を有する材料で製作されている場合には、それらのうちの一つの軸、例えば、軸１ｇに対して固定するようにしても、同等の作用効果が得られるし、そのようにした場合には、軸１ｇに嵌装しているコイルばね６が不要になる。また、上記の各実施例の場合には、カメラ内において、シャッタ地板１が被写体側に配置され、補助地板５がシャッタ地板１に対して可動の場合で説明したが、デジタルスチルカメラの場合には、駆動部材や電磁石などを取り付けているシャッタ地板１を撮像面側に配置することが可能である。従って、本発明は、そのように配置することを妨げるものではない。
【００７５】
【発明の効果】
以上のように、本発明によれば、シャッタ地板と補助地板の間に少なくとも一つの羽根室を構成し、その羽根室内に、複数のアームとそれらに枢支された複数枚の羽根からなるシャッタ羽根を配置したカメラ用フォーカルプレンシャッタにおいて、そのシャッタ羽根の作動に対応して補助地板を作動させ、羽根室の空間を自動的に変化させ得るようにしたから、上記の複数枚の羽根が展開状態となっているとき、隣接する羽根同士の密着性が好適に得られ、漏光の心配がなくなる。しかも、本発明は、シャッタ羽根を一つだけ備えたフォーカルプレンシャッタにも、二つ備えたフォーカルプレンシャッタにも適用することが可能であり、要求があれば、二重遮光方式のフォーカルプレンシャッタにも適用することができる。
【図面の簡単な説明】
【図１】カメラに組み込んだ状態で被写体側から見た第１実施例の平面図であって、セット状態を示したものである。
【図２】図１の略Ａ−Ａ線で切断して示した断面図である。
【図３】図１と同様にして見た第１実施例の平面図であって、露光作動終了直後の状態を示したものである。
【図４】図３を図２と同様に切断して示した断面図である。
【図５】図１と同様にして見た第２実施例の平面図であって、セット状態を示したものである。
【図６】図５を図２と同様に切断して示した断面図である。
【図７】図５と同様にして見た第２実施例の平面図であって、露光作動の途中の状態を示したものである。
【図８】図７を図６と同様に切断して示した断面図である。
【図９】図５と同様にして見た第２実施例の平面図であって、露光作動の終了直後の状態を示したものである。
【図１０】図９を図６と同様に切断して示した断面図である。
【図１１】第３実施例のセット状態を、図２と同様に切断して示した断面図である。
【図１２】第３実施例における露光作動の途中の状態を、図１１と同様に切断して示した断面図である。
【図１３】第３実施例における露光作動の終了直後の状態を、図１１と同様に切断して示した断面図である。
【図１４】図１と同様にして見た第４実施例の平面図であって、セット状態を示したものである。
【図１５】図１４を図２と同様に切断して示した断面図である。
【図１６】第４実施例における露光作動開始直前の状態を、図１５と同様に切断して示した断面図である。
【図１７】第４実施例における露光作動の途中の状態を、図１５と同様に切断して示した断面図である。
【図１８】第４実施例における露光作動の終了直後の状態を、図１５と同様に切断して示した断面図である。
【符号の説明】
１　　　　　　　　　　　シャッタ地板
１ａ，５ａ，１４ａ　　　開口部
１ｂ，１ｃ　　　　　　　孔
１ｄ　　　　　　　　　　切欠部
１ｅ，１ｆ，１ｇ，１ｈ，１ｉ，１ｊ，１ｋ，１ｍ　軸
２，７　　　　　　　　　ビス
３　　　　　　　　　　　カメラ本体
４　　　　　　　　　　　プリント配線板
５　　　　　　　　　　　補助地板
５ｂ　　　　　　　　　　筒部
６，２１　　　　　　　　圧縮コイルばね
８，９，１５，１６　　　アーム
８ａ，１５ａ　　　　　　長孔
１０，１１，１２，１３，１７，１８，１９，２０　羽根
１４　　　　　　　　　　中間板
【図１】
2004012526.tif 000003
【図２】
2004012526.tif 000004
【図３】
2004012526.tif 000005
【図４】
2004012526.tif 000006
【図５】
2004012526.tif 000007
【図６】
2004012526.tif 000008
【図７】
2004012526.tif 000009
【図８】
2004012526.tif 000010
【図９】
2004012526.tif 000011
【図１０】
2004012526.tif 000012
【図１１】
2004012526.tif 000013
【図１２】
2004012526.tif 000014
【図１３】
2004012526.tif 000015
【図１４】
2004012526.tif 000016
【図１５】
2004012526.tif 000017
【図１６】
2004012526.tif 000018
【図１７】
2004012526.tif 000019
【図１８】
2004012526.tif 000020